(57)【要約】【課題】データ出力中におけるデータ出力の継続の有無判断を確実に実行することにより、消費電力を削減させる。【解決手段】テレビ受信データを、所定時間に亘って表示部およびスピーカへ出力している場合に、表示部等におけるテレビ受信データの出力を継続させるか否かを判断する（ステップ１０６）。この判断結果に基づき、表示部等のデータ出力を継続または停止させる。テレビ受信データの出力を停止させた場合（ステップ１０８における省電力モードに移行させた場合）には、無用な消費電力を削減できるので、連続使用時間が増加する。【選択図】      図３
2007013443.tif 000002
【特許請求の範囲】
【請求項１】
画像データまたは音声データのうちの少なくとも一方のデータを出力する出力手段と、
前記出力手段がデータを所定時間に亘って出力している場合に、前記出力手段におけるデータの出力を継続させるかを判断する判断手段と、
前記判断手段の判断結果に基づき、前記出力手段のデータ出力を継続または停止させる制御手段と、
を備える電子機器。
【請求項２】
前記制御手段が、前記出力手段におけるデータ出力の継続の確認のための確認データを、前記出力手段に出力する請求項１に記載の電子機器。
【請求項３】
前記出力手段は画像データを表示する表示手段であり、前記確認データは前記表示手段に表示されるメッセージデータであり、前記制御手段が前記メッセージデータを、前記表示手段に表示する画像データと合成して表示するように制御する請求項２に記載の電子機器。
【請求項４】
前記出力手段は画像データを表示する表示手段であり、前記制御手段が前記画像データの出力を停止させる場合に、前記表示手段の光源を消灯させる請求項１または請求項２に記載の電子機器。
【請求項５】
データを入力する入力手段を備え、前記出力手段がデータ出力を停止している場合に、前記判断手段が前記入力手段によるデータ入力によって前記出力手段からデータを再度出力させるかを判断する請求項１乃至４のいずれか１項に記載の電子機器。
【請求項６】
前記判断手段には装置本体の使用状態を検出する検出手段を含み、前記制御手段が、前記検出手段による検出結果に基づき前記データ出力を継続または停止させる請求項１乃至５のいずれか１項に記載の電子機器。
【請求項７】
前記検出手段が、前記装置本体に配置され又は前記装置本体に接続されるセンサまたはカメラである請求項６項に記載の電子機器。
【請求項８】
通話のための無線手段を、さらに備える請求項１乃至７のいずれか１項に記載の電子機器。
【請求項９】
前記画像データまたは前記音声データのうちの少なくとも一方のデータを受信するテレビ受信手段を、さらに備える請求項１乃至８のいずれか１項に記載の電子機器。
【請求項１０】
画像データまたは音声データのうちの少なくとも一方のデータを、所定時間に亘って出力手段へ出力している場合に、前記出力手段におけるデータの出力を継続させるかを判断し、
この判断結果に基づき、前記出力手段のデータ出力を継続または停止させる省電力制御方法。
【請求項１１】
前記出力手段におけるデータ出力の継続を確認する確認データを、前記出力手段に出力させる請求項１０に記載の省電力制御方法。
【請求項１２】
前記出力手段のデータ出力を停止させた場合に、入力手段によるデータ入力によって再び判断の処理を実行する請求項１０または１１に記載の省電力制御方法。
【発明の詳細な説明】
【技術分野】
【０００１】
本発明は、たとえば携帯電話機などの電子機器および省電力制御方法に関する。特に、本発明は、テレビなどのチューナ内蔵の携帯電話機などの電子機器および省電力制御方法に関する。
【背景技術】
【０００２】
近年、携帯電話機などの携帯用の電子機器においては、テレビジョン（ＴＶ）のチューナを内蔵する製品（テレビ受信機能付き携帯電話機など）が市場に提供されている。また、携帯電話機などは、電源として電池を使用しているので、電池の残量がなくなった場合、携帯電話機を使用できなくなる。
【０００３】
そのため、テレビ受信機能付き携帯電話機の中には、消費電力を低減させることによって連続使用時間を増加させる機種が提案されている。例えば、テレビチャンネルの選局中に、電波の受信状況を判断することによって映像データの出力を継続または停止させる携帯電話機が提案されている（例えば、特許文献１参照）。
【０００４】
また、折畳みタイプの携帯電話機において、折畳みの有無によって映像データの出力を継続または停止させるかを判断する機種も提案されている（例えば、特許文献２参照）。さらに、予約番組を再生する直前に、ディスプレイに確認用のメッセージを表示させ、且つ確認処理が終了した後に上記予約番組を再生させる携帯端末装置が提案されている（例えば、特許文献３参照）。
【０００５】
【特許文献１】特開２００５−５１５７０号公報
【特許文献２】特開２００５−９４４１８号公報
【特許文献３】特開２００５−６０４０号公報
【発明の開示】
【発明が解決しようとする課題】
【０００６】
しかしながら、特許文献１に係る技術では、移動中などの場合には電波の受信が不安定となるので、視聴の有無判断の精度が期待出来ない場合も想定される。また、特許文献２に係る技術では、折畳みタイプの携帯電話機を対象としているので、折畳みタイプ以外の携帯電話機の適用の有無については不明である。さらに、特許文献３に係る技術は、予約番組を再生する直前に、再生の有無を確認するものであり、画像データを出力している際の視聴の有無を確認するものではない。
【０００７】
そこで、本発明は、データ出力中におけるデータ出力の継続の有無判断を確実に実行することにより、消費電力を削減させ且つ連続使用時間を増加し得る電子機器および省電力制御方法を提供する。
【課題を解決するための手段】
【０００８】
本発明に係る電子機器は、画像データまたは音声データのうちの少なくとも一方のデータを出力する出力手段と、前記出力手段がデータを所定時間に亘って出力している場合に、前記出力手段におけるデータの出力を継続させるかを判断する判断手段と、前記判断手段の判断結果に基づき、前記出力手段のデータ出力を継続または停止させる制御手段と、を備える。
【０００９】
本発明に係る省電力制御方法は、画像データまたは音声データのうちの少なくとも一方のデータを、所定時間に亘って出力手段へ出力している場合に、前記出力手段におけるデータの出力を継続させるかを判断し、この判断結果に基づき、前記出力手段のデータ出力を継続または停止させる。
【発明の効果】
【００１０】
本発明は、所定時間に亘って上記データを出力手段へ出力している場合に、上記データの出力を継続させるかを判断する。その判断結果に基づき、例えばデータ出力を停止させた場合には、消費電力を削減できるので、連続使用時間が増加する。
【発明を実施するための最良の形態】
【００１１】
（第１の実施形態）
以下、図１および図２に基づいて、本発明の第１の実施形態である電子機器（たとえば、携帯電話機）および省電力制御方法について説明する。ここで、図１は本実施形態における携帯電話機１０の正面図、図２は図１に示す携帯電話機１０のブロック図である。
【００１２】
（携帯電話機の構成）
図１に示すように、携帯電話機１０には、単一の装置本体１１の一面１１Ａ側（正面側）に、表示部（ディスプレイ）１２と、複数の操作キー１４と、撮像レンズを含むカメラ部１６が配置されている。入力手段の一部を構成する操作キー１４は、文字・数字・記号からなるデータを入力する各種キーなどで構成される。
【００１３】
図２に示すように、携帯電話機１０は、主制御部２０と、カメラ部１６と、無線部２２と、音声処理部２４と、キー処理部３０と、表示制御部３２と、動画処理部３４と、チューナ３６と、テレビ機能処理部３８と、記録部４０と、バッテリ（電池）４２とを備える。
【００１４】
主制御部２０は、判断手段または制御手段の一部を構成し、図示しないＣＰＵを含む。そして、主制御部２０は、カメラ部１６と無線部２２と音声処理部２４とキー処理部３０と表示制御部３２と動画処理部３４とチューナ３６とテレビ機能処理部３８と記録部４０を接続する。
【００１５】
電源であるバッテリ４２は、主制御部２０などの各部品に電力を供給できるように配線している。なお、図２において、バッテリ４２に関する配線の図示を省略している。これは、各部などに複数の配線を接続する場合の錯綜を防止するためである。
【００１６】
無線部２２は、アンテナ２１を介して図示しない基地局と無線信号を送受信する。アンテナ２１および無線部２２は、無線手段を構成する。音声処理部２４は、マイク２８と、スピーカ２６と、図示しないジャックを接続する。このジャックは、ヘッドホーン２７を接続するための端子である。なお、音声処理部２４は、音声データをＡＤ／ＤＡ変換する機能およびボイスコーデック機能などを備える。
【００１７】
マイク２８は、通話などの音声データを入力するのに使用される。スピーカ２６またはヘッドホーン２７は、着メロなどの着信時の呼出し音などを出力する。また、スピーカ２６またはヘッドホーン２７は、主制御部２０の制御に基づき、アラーム音または確認音声データなどを出力する。なお、スピーカ２６またはヘッドホーン２７は、出力手段の一部を構成する。
【００１８】
表示制御部３２には、図１に示す表示部１２が接続され、表示部１２へ画像データ（例えば、動画像データまたは電子メールのメールデータなど）を出力する。表示部１２はバックライト１３を含み、画像データを出力する際にはバックライト１３が点灯する。なお、表示制御部３２または表示部１２は、出力手段または表示手段の一部を構成する。
【００１９】
動画処理部３４は、例えば動画像データにおける圧縮または伸張の処理を行う。また、動画処理部３４と表示制御部３２とは接続されており、動画処理部３４は復号化した動画像データを表示制御部３２へ出力する。
【００２０】
チューナ３６には、アンテナ３７が接続されている。そして、チューナ３６は、アンテナ３７を介して地上波アナログ放送、地上波デジタル放送、衛星放送などのテレビ放送（テレビ受信データ）を受信する。
【００２１】
テレビ機能処理部３８は、テレビ受信機能を実現するアプリケーション等を備え、テレビ受信を開始させる操作キー１４が操作された場合に、チューナ３６を介して動画像データおよび音声データ（テレビ受信データ）を表示部１２およびスピーカ２６またはヘッドホーン２７へ出力するための処理を実行する。なお、チューナ３６、アンテナ３７およびテレビ機能処理部３８は、テレビ受信手段を構成する。
【００２２】
また、テレビ機能処理部３８は、テレビコンテンツの再生を開始したと同時に、主制御部２０のタイマ機能に基づいて時間をカウントする。そして、テレビ機能処理部３８は、所定（指定）時間を経過した場合に、主制御部２０を介して、図５に示す第１の確認データ５０を表示部１２へ出力するなどの処理を実行する。即ち、テレビ機能処理部３８と主制御部２０とは、判断手段または制御手段を構成する。
【００２３】
記録部４０は、例えばＲＯＭまたはＲＡＭなどの記録媒体を含み、携帯電話機１０に各種の処理を行わせるプログラムやワーク領域および各種データなどの読み書き用の記憶域を有する。主制御部２０は、携帯電話機１０の全体的な動作を司り、たとえば操作キー１４が操作された場合に、その操作に基づく処理を実行する。
【００２４】
（本実施形態の作用）
次に、図３乃至図５を参照して、携帯電話機１０におけるテレビ受信モードに関する処理について説明する。ここで、携帯電話機１０における処理（テレビ受信モードおよび省電力モード）は、図２に示す携帯電話機１０のテレビ機能処理部３８および主制御部２０によって実行される図３および図４のフローチャートで表される。これらのプログラムは、予めテレビ機能処理部３８および記録部４０（図２参照）のプログラム領域に記憶されている。ここで、図３に示すテレビ受信モードにおけるフローチャートの前提として、テレビ受信を開始させる操作キー１４が操作される必要がある。以下、図３に基づいて、テレビ受信モードの処理を説明する。
【００２５】
（テレビ受信モード）
ステップ１００では、図２に示すテレビ機能処理部３８および主制御部２０が、チューナ３６および動画処理部３４などを介してテレビ受信データを再生処理させる。具体的には、テレビ機能処理部３８および主制御部２０が、アンテナ３７およびチューナ３６で受信する動画像データおよび音声データを、表示部１２およびスピーカ２６またはヘッドホーン２７へ出力させる（ステップ１００における「テレビ表示」の処理）。
【００２６】
ステップ１０２では、テレビ機能処理部３８および主制御部２０が、所定時間（例えば「１５分」）を経過したか否かを判断する。具体的には、テレビ機能処理部３８が、主制御部２０のタイマ機能に基づき、上記テレビ表示の開始時点を始点として上記所定時間をカウントする。
【００２７】
ステップ１０２が肯定の場合すなわち所定時間が経過した場合には、ステップ１０４で、テレビ機能処理部３８および主制御部２０が、図５に示す第１の確認データ５０を表示制御部３２を経由して表示部１２へ出力する。例えば、主制御部２０は、第１の確認データ（メッセージデータ）５０として「視聴を継続しますか？」を、テレビ受信データと合成して表示部１２に表示する。
【００２８】
ステップ１０６では、指定時間（例えば「１分」）内にキー入力があるか否かを判断する。具体的には、主制御部２０が、例えば文字表示の「Ｙｅｓ」に対応する操作キー１４が、上記指定時間内に操作（押圧）されたか否かを判断する。なお、上記指定時間は、テレビ機能処理部３８が、主制御部２０のタイマ機能に基づき、上記第１の確認データ５０を表示部１２へ表示させた時点を始点としてカウントする。
【００２９】
ステップ１０６が肯定の場合、すなわち主制御部２０は、指定時間内に操作キー１４が操作されたと判定した場合には、ステップ１０２に戻り、再び所定時間が経過するのを待つ。一方、ステップ１０６が否定の場合、すなわち主制御部２０は、指定時間内に操作キー１４が操作されなかったと判断すると、ステップ１０８で、テレビ機能処理部３８および主制御部２０が、ユーザがテレビを視聴していない判断し、省電力モードの処理を実行する。
【００３０】
この省電力モードは、図４に示すように、画像データおよび音声データにおける両者の出力を停止させるモードである。なお、上記指定時間を例えば１分としたのは、表示部１２に表示される第１の確認データ５０がテレビを視聴する上で邪魔となるので、ユーザがテレビを視聴していれば、直ちにキー入力を行うからである。この場合、迅速に省電力モードに移行するので、バッテリ４２の消費電力を早期に抑制できる。
【００３１】
以下、図４に基づき、省電力モードについて説明する。ステップ２００では、図２に示すテレビ機能処理部３８および主制御部２０が、チューナ３６および動画処理部３４などを介してテレビ受信データにおける画像データの表示を停止させる。
【００３２】
具体的には、テレビ機能処理部３８は、上記画像データの出力を停止すると共に、主制御部２０は図２に示すバックライト１３への電力の供給をも停止（バックライト１３を消灯）する。ここで、バックライト１３への電力の供給を停止させたのは、バックライト１３の方が例えばスピーカ２６などの消費電力に比べて大きいからである。また、ステップ２０２で、テレビ機能処理部３８および主制御部２０は、チューナ３６などを介してテレビ受信データにおける音声データの出力（例えば、図２に示すスピーカ２６などの出力）を停止する。
【００３３】
なお、上記省電力モードでは、チューナ３６、動画処理部３４、表示制御部３２または音声処理部２４などの処理の一部もしくは全部を停止させることで、消費電力を抑えても良い。以上の通り、図４に示す省電力モードは、ユーザが例えばニュースやスポーツを暇つぶし等の目的で視聴している場合において、無用なバッテリ４２（図２参照）の電力消費を防止する。
【００３４】
図３に戻り、ステップ１１０では、テレビ機能処理部３８および主制御部２０が、省電力モード中に、キー入力があるか否かを判断する。具体的には、テレビ機能処理部３８および主制御部２０が、操作キー１４（図１または図２参照）のいずれかが操作されたか否かを判断する。
【００３５】
ステップ１１０が肯定の場合すなわち操作キー１４が操作された場合には、ステップ１１２で、テレビ機能処理部３８および主制御部２０が、第２の確認データを表示部１２へ出力させると共に、図２に示すバックライト１３を点灯させる。なお、第２の確認データとして「視聴を再開しますか？」の文字データ画面がＹｅｓの入力画面と一緒に、表示部１２に表示される。
【００３６】
ステップ１１４では、指定時間（例えば「２分」）内にキー入力があるか否かを判断する。具体的には、文字表示の「Ｙｅｓ」に対応する操作キー１４が、上記指定時間内に操作されたか否かを判断する。なお、上記指定時間は、テレビ機能処理部３８が、主制御部２０のタイマ機能に基づき、上記第２の確認データを表示部１２へ表示させた時点を始点としてカウントする。
【００３７】
ステップ１１４が肯定の場合、すなわち主制御部２０は、指定時間内に操作キー１４が操作されたと判断した場合には、ステップ１１６で、「テレビ表示」の処理を実行する。具体的には、テレビ機能処理部３８および主制御部２０が、アンテナ３７およびチューナ３６で受信する画像データおよび音声データを、表示部１２およびスピーカ２６またはヘッドホーン２７へ出力させる（ステップ１１６における「省電力モード解除」の処理）。そして、ステップ１１６の処理が終了すると、ステップ１０２に戻り、再び所定時間が経過するのを待つ。
【００３８】
一方、ステップ１１４が否定の場合、すなわち主制御部２０は、指定時間内に操作キー１４が操作されなかったと判断した場合には、図２に示すテレビ機能処理部３８および主制御部２０が、上記第２の確認データの表示を停止させる。具体的には、テレビ機能処理部３８および主制御部２０が、上記第２の確認データの出力を停止させると共に、図２に示すバックライト１３への電力の供給をも停止させる。
【００３９】
そして、ステップ１１８の処理が終了すると、ステップ１１０に戻り、再び操作キー１４が操作されるのを待つ。この場合におけるステップ１１０のキー入力は、図２に示すテレビ機能処理部３８および主制御部２０において、不注意または不可抗力で、操作キー１４が押圧されたと判断される。
【００４０】
本実施形態では、所定時間に亘ってテレビコンテンツを受信している間、すなわち上記テレビ受信データを表示部１２およびスピーカ２６またはヘッドホーン２７へ出力している場合、上記テレビ受信データの出力を継続するか否かを判断する。そして、本実施形態では、ユーザの積極的意思に基づく操作キー１４の操作により、上記データ出力中におけるテレビ受信データの視聴の継続を確認できる。
【００４１】
また、本実施形態では、上記データ出力中におけるテレビ受信データの出力を続行するか否かの判断結果に基づき、例えばデータ出力を停止させることができる。従って、本実施形態によれば、バッテリ４２の無用な消費電力を削減できるので、連続使用時間が増加する。なお、本実施形態では、省電力モード時でも、音声データのみをスピーカ２６から出力するように設定しても良い。
【００４２】
また、本実施形態では、図３の所定時間（ステップ１０２）または指定時間（ステップ１０６またはステップ１１４）を、任意に変更できるようにしても良い。さらに、本実施形態では、画像データの出力を停止させる他に、スクリーンセーバ機能により、図５に示す第１の確認データ５０を保持した状態で、表示画面をブラックアウト（図２に示すバックライト１３を消灯）させるようにしても良い。
【００４３】
（第２の実施形態）
本発明の第２の実施形態を、図６および図７に基づいて説明する。本実施形態に係る携帯電話機６０は、検出手段であるセンサの検出信号の有無またはカメラ部（撮像レンズを含む）１６から入力される顔データの有無で、ユーザの視聴継続の意思を判断する例である。なお、上記の場合には、カメラ部１６が、表示部１２と同一面に配置されている必要がある。
【００４４】
ここで、図６は本実施形態における携帯電話機６０の正面図、図７は図６に示す携帯電話機６０のブロック図である。なお、本実施形態の携帯電話機６０の構成では、図６および図７において、図１および図２と対応する部分には同一符号を付し、その詳細説明は省略する。
【００４５】
図６に示すように、携帯電話機６０には、装置本体１１の両側面１１Ｂに、把持センサ１８がそれぞれ配置されている。この把持センサ１８は、ユーザが携帯電話機６０を把持する側面１１Ｂの領域に位置している。なお、把持センサ１８は、例えば圧力センサまたは温度センサなどを適用する。そして、本実施形態におけるカメラ部１６および把持センサ１８は、検出手段の一部を構成する。
【００４６】
また、本実施形態におけるヘッドホーン２７の耳当て２７Ａ内には、その装着状態を検出するセンサ（温度センサまたは圧力センサ）２７Ｂが配置されている。このセンサ２７Ｂの検出信号は、検出回路２９を介して、主制御部２０へ供給される。即ち、図７に示すヘッドホーン２７および検出回路２９は、検出手段の一部を構成する。なお、この場合、ヘッドホーン２７が、音声処理部２４のジャック（図示省略）に接続されている必要がある。その他の構成は、第１実施形態と同様であるので、詳細説明は省略する。
【００４７】
本実施形態においては、所定時間に亘ってテレビ受信データを表示部１３およびスピーカ２６などへ出力している場合に、上記データ出力の継続を、テレビ機能処理部３８および主制御部２０が、センサの検出信号（閾値以上の圧力データまたは温度データ）などに基づき判断する。
【００４８】
具体的には、センサの検出信号またはカメラ部１６からの画像データの入力に基づき、テレビを視聴していない（閾値未満の検出信号の入力または顔データが入力されていない）と判断されてから所定時間を経過した場合に、テレビ受信データの出力を停止させる。この場合には、上記センサまたはカメラ部１６の全てを備える必要はなく、例えば１種類または２種類以上の組合せとして判断できるようにしても良い。その他の作用効果は、第１実施形態と同様であるので、詳細は省略する。
【００４９】
なお、上記第１実施形態において説明した各プログラムの処理の流れ（図３および図４参照）は一例であり、本発明の主旨を逸脱しない範囲内において適宜変更可能である。また、上記第１実施形態では、第１の確認データに応答する手段として、テレビ受信データの出力を継続しない場合に、文字表示の「Ｎｏ」に対応する操作キー１４を操作することにより、テレビ受信データの受信を終了させるように設定しても良い。この場合には、たとえば確認データ（メッセージデータ）に関する文字データ画面が、Ｙｅｓ／Ｎｏの選択入力画面と一緒に、表示部１２に表示される。
【００５０】
さらに、本発明の携帯電話機は、折畳みタイプの機種であっても、同様に適用できる。また、上記実施形態ではテレビ受信データを出力する例であるが、本発明ではビデオ（動画像）データまたは音声データのみを再生または出力させるようにしても良い。例えば、ラジオ放送を受信する場合には、ラジオ放送用のチューナを携帯電話機１０または６０に設ける必要がある。
【００５１】
なお、本発明における組み合わせるパターンは、例えば上記各実施形態または変形例の内、２つの実施形態または２つ以上の変形例を組み合わせるパターンとしても良い。また、上記実施形態では、電子機器を携帯電話機１０または６０として例であるが、本発明の電子機器は携帯タイプであるか否かを問わず、画像データまたは音声データを出力するＰＤＡｓ（ＰＥＲＳＯＮＡＬ Ｄｉｇｉｔａｌ Ａｓｓｉｓｔａｎｔｓ）、パーソナル・コンピュータなどにも適用できる。
【図面の簡単な説明】
【００５２】
【図１】第１実施形態における携帯電話機の正面図である。
【図２】図１に示す携帯電話機のブロック図である。
【図３】図１に示す携帯電話機におけるテレビ受信モードに関するフローチャートである。
【図４】図３に示す省電力モードに関するフローチャートである。
【図５】図１に示す携帯電話機の表示部における表示画面を示す図である。
【図６】第２実施形態における携帯電話機の正面図である。
【図７】図６に示す携帯電話機のブロック図である。
【符号の説明】
【００５３】
１０、６０    携帯電話機（電子機器）
１２    表示部（出力手段または表示手段）
１３    表示部のバックライト（光源）
１４    操作キー（入力手段）
１６    カメラ部（検出手段）
１８    把握センサ（検出手段）
２０    主制御部（判断手段または制御手段）
２４    音声制御部（出力手段）
２６    スピーカ（出力手段）
２７    ヘッドホーン（出力手段）
２７Ｂ    ヘッドホーンのセンサ（検出手段）
２９    検出回路（検出手段）
３８    テレビ機能処理部（判断手段または制御手段）
４２    バッテリ（電源）
５０    確認データ（メッセージデータ）
【図１】
2007013443.tif 000003
【図２】
2007013443.tif 000004
【図３】
2007013443.tif 000005
【図４】
2007013443.tif 000006
【図５】
2007013443.tif 000007
【図６】
2007013443.tif 000008
【図７】
2007013443.tif 000009